(57)【要約】【課題】連写撮影後、次回の撮影までの時間を短くすること。【解決手段】撮像装置は、被写体像を撮像して画像信号を出力する撮像部１２と、画像信号を蓄積する画像蓄積部１３と、画像信号に基づく記録画像を記録媒体５１へ記録する記録部１７と、画像信号に基づく再生画像および機器情報を表示する表示部１８と、画像蓄積部１３に蓄積されている画像信号に基づいた記録画像の記録が記録部１７によって終了するまで再生画像の表示を禁止するように表示部１８を制御する表示制御部１６ｂと、を備え、表示制御部１６ｂは、再生画像の表示の禁止中に機器情報を表示させる。【選択図】図１
2013026676.tif 000002
【特許請求の範囲】
【請求項１】
被写体像を撮像して画像信号を出力する撮像部と、
前記画像信号を蓄積する画像蓄積部と、
前記画像信号に基づく記録画像を記録媒体へ記録する記録部と、
前記画像信号に基づく再生画像および機器情報を表示する表示部と、
前記画像蓄積部に蓄積されている画像信号に基づいた記録画像の記録が前記記録部によって終了するまで前記再生画像の表示を禁止するように前記表示部を制御する表示制御部と、を備え、
前記表示制御部は、前記再生画像の表示の禁止中に前記機器情報を表示させることを特徴とする撮像装置。
【請求項２】
請求項１に記載の撮像装置において、
前記表示制御部は、前記画像蓄積部に蓄積されている画像信号に基づく記録画像の記録が前記記録部によって終了するまでに記録モードの変更が指示された場合、前記記録が終了してから前記記録モードの変更を行うことを特徴とする撮像装置。
【請求項３】
請求項２に記載の撮像装置において、
前記表示制御部は、前記記録モードの変更が指示されてから、前記画像蓄積部に蓄積されている画像信号に基づく記録画像の記録が前記記録部によって終了するまで前記再生画像の表示を禁止することを特徴とする撮像装置。
【請求項４】
請求項１〜３のいずれか一項に記載の撮像装置において、
前記画像信号に基づく再生画像は、前記画像蓄積部に蓄積された画像信号または前記記録媒体へ記録された記録画像から生成されることを特徴とする撮像装置。
【発明の詳細な説明】
【技術分野】
【０００１】
本発明は、撮像装置に関する。
【背景技術】
【０００２】
連写時に撮影した画像信号を一旦バッファメモリに記憶させ、撮影終了後にバッファメモリから画像信号を読み出して保存用記録媒体に記録するカメラが知られている（特許文献１参照）。
【先行技術文献】
【特許文献】
【０００３】
【特許文献１】特開平５−４９０００号公報
【発明の概要】
【発明が解決しようとする課題】
【０００４】
一般に、バッファメモリ内に記録媒体へ未記録の画像信号が残っていると、次の連写の際に該バッファメモリを有効に使用できない。従来技術では、バッファメモリから保存用記録媒体へ画像信号をコピーする時間を短くする点について検討がなされていなかった。
【課題を解決するための手段】
【０００５】
本発明による撮像装置は、被写体像を撮像して画像信号を出力する撮像部と、画像信号を蓄積する画像蓄積部と、画像信号に基づく記録画像を記録媒体へ記録する記録部と、画像信号に基づく再生画像および機器情報を表示する表示部と、画像蓄積部に蓄積されている画像信号に基づいた記録画像の記録が記録部によって終了するまで再生画像の表示を禁止するように表示部を制御する表示制御部と、を備え、表示制御部は、再生画像の表示の禁止中に機器情報を表示させる。
【発明の効果】
【０００６】
本発明による撮像装置では、連写撮影後、次回の撮影までの時間を短くすることができる。
【図面の簡単な説明】
【０００７】
【図１】本発明の一実施の形態によるデジタルカメラの構成例を説明するブロック図である。
【図２】静止画撮影モード時のＬＣＤモニタの表示画面を例示する図である。
【図３】連写撮影時における記憶媒体へのデータ書き込み処理、およびＬＣＤモニタへの表示処理を説明する図である。
【図４】ＬＣＤモニタの表示画面を例示する図である。
【図５】本実施の形態と従来技術との比較例を説明する図である。
【図６】連写撮影後に静止画／動画記録モードの切替操作が行われる場合の、記憶媒体へのデータ書き込み処理、モード切替処理、およびＬＣＤモニタの表示処理を説明する図である。
【図７】本実施の形態と従来技術との比較例を説明する図である。
【発明を実施するための形態】
【０００８】
以下、図面を参照して本発明を実施するための形態について説明する。図１は、本発明の一実施の形態によるデジタルカメラの構成例を説明するブロック図である。図１において、デジタルカメラは、撮像光学系１１と、撮像素子１２と、フレームバッファメモリ１３と、フラッシュメモリ１４と、ＲＡＭ１５と、ＣＰＵ１６と、カードインターフェース(I/F)部１７と、ＬＣＤモニタ１８と、操作部材１９とを備える。カードインターフェース部１７には、メモリカードなどの着脱可能な記憶媒体５１が装着される。
【０００９】
ＣＰＵ１６は、画像処理部１６ａと、表示制御部１６ｂと、撮像制御部１６ｃと、モード切替制御部１６ｄとを含む。
【００１０】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１１】
撮像素子１２は、ＣＭＯＳイメージセンサなどによって構成される。撮像素子１２は、被写体像を光電変換して画像信号を生成する。画像信号は、不図示のＡ／Ｄ変換部でデジタル信号に変換され、フレームバッファメモリ１３に一時記憶される。フレームバッファメモリ１３は、連写撮影時に連続して撮像した画像信号を蓄積しておき、蓄積した画像信号に対して順次画像処理および記憶媒体５１への記録を行えるように設けられている。
【００１２】
フラッシュメモリ１４は、ＣＰＵ１６に実行させるプログラムを記憶する。ＲＡＭ１５は、ＣＰＵ１６のワークメモリとして用いられる。ＣＰＵ１６は、フラッシュメモリ１４が記憶するプログラムを実行することによってデジタルカメラの動作を制御する。ＣＰＵ１６内の撮像制御部１６ｃは、ＡＦ（オートフォーカス）動作制御や、自動露出（ＡＥ）演算を行う。ＡＦ動作は、たとえば、ライブビュー画像のコントラスト情報に基づいてフォーカシングレンズ（不図示）の合焦位置を求める。ライブビュー画像は、撮影指示前に撮像素子１２によって所定の時間間隔（たとえば６０フレーム／毎秒＝６０fps）で繰り返し取得されるモニタ用画像のことをいう。ライブビュー画像はスルー画像とも呼ばれる。
【００１３】
画像処理部１６ａは、デジタル画像信号に対して各種の画像処理（画素補間処理、階調変換処理、輪郭強調処理、ホワイトバランス調整処理、画像圧縮処理、画像伸張処理など）を施す。表示制御部１６ｂは、ＬＣＤモニタ１８による表示に必要な表示制御信号を生成する。ＬＣＤモニタ１８は液晶パネルによって構成され、表示制御部１６ｂからの表示制御信号に応じて画像やアイコン、操作メニュー画面などを表示する。
【００１４】
モード切替制御部１６ｄは、操作部材１９からのモード切替操作指示に応じてモード切替制御を行う。本実施形態のモード切替えは、静止画記録モードと動画記録モードとの切替制御を含む。静止画記録モードと動画記録モードでは、たとえば、撮像する画像のアスペクト比（静止画像４：３に対し、動画像１６：９）が異なる。
【００１５】
カードインターフェース部１７はコネクタ（不図示）を有し、該コネクタに記憶媒体５１が接続される。カードインターフェース部１７は、接続された記憶媒体５１に対するデータの書き込みや、記憶媒体５１からのデータの読込みを行う。
【００１６】
操作部材１９は、不図示のレリーズボタン、録画スイッチ、メニュースイッチ、モード切替ダイヤルなどを含む。操作部材１９は、撮影指示操作やモード切替操作など、各操作に応じた操作信号をＣＰＵ１６へ送出する。
【００１７】
本実施形態は、上記デジタルカメラが静止画撮影モード時に行う連写撮影後の動作に特徴を有するので、以降の説明はこの点を中心に行う。図２は、静止画撮影モード時のＬＣＤモニタ１８の表示画面を例示する図である。図２において、スルー画像に重ねて、オート撮影を行うことを示すアイコン２１と、バッテリー残量表示２２と、記憶媒体５１に記憶可能なコマ数表示２３とが表示されている。
【００１８】
＜連写撮影後のスルー画表示再開＞
図３は、連写撮影時における記憶媒体５１へのデータ書き込み処理、およびＬＣＤモニタ１８への表示処理を説明するタイムチャートである。図３において、ＬＣＤモニタ１８には時刻ｔ１以前からスルー画像が表示されている。時刻ｔ１において、操作部材１９からＣＰＵ１６に半押し操作信号が入力される。半押し操作信号は、レリーズボタンが半ストローク押下されるとＣＰＵ１６へ出力され、半ストロークの押下が解除されると出力されなくなる操作信号である。撮像制御部１６ｃは、半押し操作信号が入力されたｔ１以降において、上述したＡＦ動作制御やＡＥ演算を行いながら、全押し操作信号が入力されるのを待つ。
【００１９】
全押し操作信号は、レリーズボタンが全ストローク押下されるとＣＰＵ１６へ出力され、全ストロークの押下が解除されると出力されなくなる操作信号である。時刻ｔ２において、操作部材１９からＣＰＵ１６に全押し操作信号が入力される。撮像制御部１６ｃは、全押し操作信号が入力されると撮影指示が行われたと判断して撮像素子１２に記録用の撮像動作を開始させる。撮像制御部１６ｃは、全押し操作信号が継続して入力される場合には、２コマ目以降の撮像を続けて行う連写処理を行う。
【００２０】
１コマ目の画像データが画像処理部１６ａによって生成された時刻ｔ２ｂにおいて、ＣＰＵ１６はカードインターフェース部１７へ指示を送り、記憶媒体５１へ画像データの書き込みを開始させる。一方、表示制御部１６ｂはＬＣＤモニタ１８へ表示制御信号を送り、スルー画像表示に代えて、再生画像の表示を行わせる。再生画像の表示は、記憶媒体５１へ書き込んだ画像データに基づいて行う。
【００２１】
撮像制御部１６ｃは、全押し操作信号が入力されなくなる時刻ｔ３まで記録用の撮像動作を繰り返し行わせる。ＣＰＵ１６は、画像処理部１６ａによって２コマ目以降の画像データが生成されるごとにカードインターフェース部１７へ指示を送り、新たなコマの画像データを記憶媒体５１に書き込ませる。表示制御部１６ｂはＬＣＤモニタ１８へ表示制御信号を送り、表示中の再生画像に代えて、新たなコマの再生画像を表示させる。
【００２２】
全押し操作信号が解除された時刻ｔ３において、表示制御部１６ｂはＬＣＤモニタ１８へ表示制御信号を送り、再生画像の表示を中止してアイコン等のみの表示に切替えさせる。図４は、この場合のＬＣＤモニタ１８の表示画面を例示する図である。図４において、再生画像の表示が終了され、アイコン２１と、バッテリー残量表示２２と、記憶可能なコマ数表示２３とが表示されている。
【００２３】
表示制御部１６ｂがＬＣＤモニタ１８に再生画像を表示させるための処理を行わないので、ＣＰＵ１６は、全体として処理負担が軽減する。すなわち、画像処理部１６ａが行う画像データ生成処理（時刻ｔ３においてフレームバッファメモリ１３に蓄積されていた画像信号に基づいて画像データを生成する）と、生成された画像データを記憶媒体５１へ書き込ませる処理に専念する。これにより、時刻ｔ４ａにおいて、最終コマについての画像データが記憶媒体５１へ書き込まれると書き込み処理が終了する。
【００２４】
表示制御部１６ｂは、時刻ｔ４ａ以降において、ＬＣＤモニタ１８に対してスルー画像表示を再開させる。これにより、次コマの撮影が可能になる。
【００２５】
図５は、本実施の形態と従来技術との比較例を説明する図であり、従来技術の連写撮影時における記憶媒体５１へのデータ書き込み処理、およびＬＣＤモニタ１８の表示処理を説明するタイムチャートである。図５において、図３の場合と同様のタイミングに対しては同符号を付して説明を省略する。
【００２６】
図５に例示する場合の表示制御部１６ｂは、全押し操作信号が解除された時刻ｔ３以降においても再生画像の表示を継続する。すなわち、ＣＰＵ１６は、表示制御部１６ｂが行うＬＣＤモニタ１８に再生画像を表示させるための処理と、画像処理部１６ａが行う画像データ生成処理（時刻ｔ３においてフレームバッファメモリ１３へ蓄積していた画像信号に基づいて画像データを生成する）と、生成された画像データを記憶媒体５１へ書き込ませる処理とを並行して行う。これにより、時刻ｔ４ａより遅い時刻ｔ４において、最終コマについての画像データが記憶媒体５１へ書き込まれ、書き込み処理が終了する。
【００２７】
表示制御部１６ｂは、時刻ｔ４以降にＬＣＤモニタ１８に対してスルー画像表示を再開させる。これにより、次の連写撮影が可能になる。
【００２８】
＜連写撮影後の静止画／動画記録モード切替え＞
図６は、連写撮影後に静止画／動画記録モードの切替操作が行われる場合の、記憶媒体５１へのデータ書き込み処理、モード切替処理、およびＬＣＤモニタ１８の表示処理を説明するタイムチャートである。図６において、ＬＣＤモニタ１８には時刻ｔ１以前からスルー画像が表示されている。時刻ｔ１において、操作部材１９からＣＰＵ１６に半押し操作信号が入力される。撮像制御部１６ｃは、半押し操作信号が入力されたｔ１以降において、上述したＡＦ動作制御やＡＥ演算を行いながら、全押し操作信号が入力されるのを待つ。
【００２９】
時刻ｔ２において、操作部材１９からＣＰＵ１６に全押し操作信号が入力される。撮像制御部１６ｃは、全押し操作信号が入力されると撮影指示が行われたと判断して撮像素子１２に記録用の撮像動作を開始させる。撮像制御部１６ｃは、全押し操作信号が継続して入力される場合に、２コマ目以降の撮像を続けて行う連写処理を行う。
【００３０】
１コマ目の画像データが画像処理部１６ａによって生成された時刻ｔ２ｂにおいて、ＣＰＵ１６はカードインターフェース部１７へ指示を送り、記憶媒体５１へ画像データの書き込みを開始させる。一方、表示制御部１６ｂはＬＣＤモニタ１８へ表示制御信号を送り、スルー画像表示に代えて、再生画像の表示を行わせる。再生画像の表示は、記憶媒体５１へ書き込んだ画像データに基づいて行う。
【００３１】
撮像制御部１６ｃは、全押し操作信号が入力されなくなる時刻ｔ３まで記録用の撮像動作を繰り返し行う。ＣＰＵ１６は、画像処理部１６ａによって２コマ目の画像データが生成されるごとにカードインターフェース部１７へ指示を送り、新たなコマの画像データを記憶媒体５１に書き込ませる。表示制御部１６ｂはＬＣＤモニタ１８へ表示制御信号を送り、表示中の再生画像に代えて、新たなコマの再生画像を表示させる。
【００３２】
全押し操作信号が解除された時刻ｔ３以降の時刻ｔ４において、操作部材１９からＣＰＵ１６に静止画記録モードから動画記録モードへの切替操作信号が入力される。表示制御部１６ｂはＬＣＤモニタ１８へ表示制御信号を送り、再生画像の表示を中止してアイコン等のみの表示に切替える（図４と同様）。モード切替制御部１６ｄは、時刻ｔ３においてフレームバッファメモリ１３へ蓄積していた全ての画像信号に基づいて生成された画像データを記憶媒体５１へ書き込むまで、すなわち、最終コマについての画像データが記憶媒体５１へ書き込まれて書き込み処理が終了するまで、モード切替処理を行わない。
【００３３】
時刻ｔ４以降、表示制御部１６ｂがＬＣＤモニタ１８に再生画像を表示させるための処理を行わないこと、および、モード切替制御部１６ｄが記憶媒体５１に対する書き込み処理が終了するまでモード切替処理を行わないことから、ＣＰＵ１６は処理負担が軽減する。すなわち、画像処理部１６ａが行う画像データ生成処理（時刻ｔ３においてフレームバッファメモリ１３へ蓄積していた画像信号に基づいて画像データを生成する）と、生成された画像データを記憶媒体５１へ書き込ませる処理に専念する。これにより、時刻ｔ５ａにおいて、最終コマについての画像データが記憶媒体５１へ書き込まれ、書き込み処理が終了する。
【００３４】
モード切替制御部１６ｄは、時刻ｔ５ａ以降にモード切替処理を行う。モード切り替え処理は、たとえば、画面のアスペクト比を静止画像４：３から、動画像１６：９へ変更させるなどの所定の処理を行う。この場合のＣＰＵ１６は、モード切り替え処理に専念する。モード切替処理終了後の時刻ｔ６ａにおいて、表示制御部１６ｂは、ＬＣＤモニタ１８に対してスルー画像表示を再開させる。これにより、次コマの撮影が可能になる。
【００３５】
図７は、本実施の形態と従来技術との比較例を説明する図であり、従来技術の連写撮影時における記憶媒体５１へのデータ書き込み処理、モード切替処理、およびＬＣＤモニタ１８の表示処理を説明するタイムチャートである。図７において、図６の場合と同様のタイミングに対しては同符号を付して説明を省略する。
【００３６】
従来技術では、表示制御部１６ｂは、操作部材１９からＣＰＵ１６に静止画記録モードから動画記録モードへの切替操作信号が入力された時刻ｔ４以降においても再生画像の表示を継続する。さらに、モード切替制御部１６ｄは、時刻ｔ４以降ただちにモード切替処理を開始する。すなわち、ＣＰＵ１６は、表示制御部１６ｂが行うＬＣＤモニタ１８に再生画像を表示させるための処理と、モード切替制御部１６ｄが行うモード切替処理と、画像処理部１６ａが行う画像データ生成処理（時刻ｔ３においてフレームバッファメモリ１３へ蓄積していた画像信号に基づいて画像データを生成する）と、生成された画像データを記憶媒体５１へ書き込ませる処理と、を並行して行う。これにより、時刻ｔ５ａより遅い時刻ｔ５において、最終コマについての画像データが記憶媒体５１へ書き込まれて書き込み処理が終了する。さらに、時刻ｔ６ａより遅い時刻ｔ６において、モード切替処理が終了する。
【００３７】
表示制御部１６ｂは、時刻ｔ６以降にＬＣＤモニタ１８に対してスルー画像表示を再開させる。これにより、次の連写撮影が可能になる。
【００３８】
以上説明した実施形態によれば、次の作用効果が得られる。
（１）デジタルカメラは、被写体像を撮像して画像信号を出力する撮像素子１２と、画像信号を蓄積するフレームバッファメモリ１３と、画像信号に基づく記録画像を記憶媒体５１へ記録するカードインターフェース部１７と、画像信号に基づく再生画像およびアイコン２１、バッテリー残量表示２２、記憶可能なコマ数表示２３を表示するＬＣＤモニタ１８と、フレームバッファメモリ１３に蓄積されている画像信号に基づいた記録画像の記録がカードインターフェース部１７によって終了するまで再生画像の表示を禁止するようにＬＣＤモニタ１８を制御するＣＰＵ１６（表示制御部１６ｂ）と、を備えるようにした。これにより、処理負担が軽減したＣＰＵ１６は、フレームバッファメモリ１３に蓄積されている画像信号に基づく画像データをカードインターフェース部１７を介して記憶媒体５１へ書き込む処理に専念できるから、連写撮影後、次回の撮影までに要する時間を短縮することができる。
【００３９】
（２）上記（１）のデジタルカメラにおいて、ＣＰＵ１６（表示制御部１６ｂ）は、再生画像の表示の禁止中にアイコン２１、バッテリー残量表示２２、記憶可能なコマ数表示２３を表示させるので、ＣＰＵ１６の処理負担の増加にならない範囲でユーザーに役立つ情報を提供できる。
【００４０】
（３）上記（１）または（２）のデジタルカメラにおいて、ＣＰＵ１６（表示制御部１６ｂ）は、フレームバッファメモリ１３に蓄積されている画像信号に基づく記録画像の記録がカードインターフェース部１７によって終了するまでに記録モードの変更が指示された場合、記録が終了してから記録モードの変更処理を行うようにしたので、ＣＰＵ１６は、フレームバッファメモリ１３に蓄積されている画像信号に基づく画像データをカードインターフェース部１７を介して記憶媒体５１へ書き込む処理に専念できるから、連写撮影後、次回の撮影までに要する時間を短縮することができる。
【００４１】
（４）上記（３）のデジタルカメラにおいて、ＣＰＵ１６（表示制御部１６ｂ）は、記録モードの変更が指示されてから、フレームバッファメモリ１３に蓄積されている画像信号に基づく記録画像の記録がカードインターフェース部１７によって終了するまで再生画像の表示を禁止するようにしたので、ＣＰＵ１６は、フレームバッファメモリ１３に蓄積されている画像信号に基づく画像データをカードインターフェース部１７を介して記憶媒体５１へ書き込む処理に専念できるから、連写撮影後、次回の撮影までに要する時間を短縮することができる。
【００４２】
（５）上記（１）〜（４）のデジタルカメラにおいて、画像信号に基づく再生画像は、フレームバッファメモリ１３に蓄積された画像信号から生成されるスルー画像、または記憶媒体５１へ記録された記録画像から生成される再生画像であるので、ユーザーは、フレームバッファメモリ１３に蓄積されている画像信号に基づく画像データを記憶媒体５１へ書き込む場合を除き、ＬＣＤモニタ１８で被写体像または再生画像を観察できる。
【００４３】
（変形例）
以上の説明では、静止画撮影を連写する場合を例に説明したが、動画像を記録する場合にも本発明を適用できる。動画像を記録する場合は、録画終了後、フレームバッファメモリ１３に蓄積されている画像信号をカードインターフェース部１７を介して記憶媒体５１へ書き込む処理が終了してから、スルー画像の表示を再開させる。
【００４４】
以上の説明はあくまで一例であり、上記の実施形態の構成に何ら限定されるものではない。
【符号の説明】
【００４５】
１２…撮像素子
１３…フレームバッファメモリ
１６…ＣＰＵ
１６ａ…画像処理部
１６ｂ…表示制御部
１６ｃ…撮像制御部
１６ｄ…モード切替制御部
１７…カードインターフェース部
１８…ＬＣＤモニタ
１９…操作部材
５１…記憶媒体
【図１】
2013026676.tif 000003
【図２】
2013026676.tif 000004
【図３】
2013026676.tif 000005
【図４】
2013026676.tif 000006
【図５】
2013026676.tif 000007
【図６】
2013026676.tif 000008
【図７】
2013026676.tif 000009